(57)【要約】      （修正有）【課題】奥行方向両側に開口した枠状の収納箱体に、上下に長尺な物品の収納を可能としながらも、該収納箱体の変形を抑制し得る収納構造を提供する。【解決手段】収納構造は、天板、底板及び両側の側板を有し、奥行方向に貫通して奥行方向両側に開口し、上下に長尺な収納スペースを設けた枠状の第１収納箱体１０の少なくとも幅方向一方側に、天板、底板及び両側の側板を有し、第１収納箱体と同高さ寸法とされた第２収納箱体３０を横並び状に設け、かつ、第２収納箱体に、棚板、背板及び奥行方向に厚さ方向を沿わせた中仕切板のうちの少なくとも一つを、両側の側板に固定して設けた構造とする。【選択図】図１
2015029671.tif 000002
【特許請求の範囲】
【請求項１】
天板、底板及び両側の側板を有し奥行方向に貫通して奥行方向両側に開口し、上下に長尺な収納スペースを設けた枠状の第１収納箱体の少なくとも幅方向一方側に、天板、底板及び両側の側板を有し該第１収納箱体と同高さ寸法とされた第２収納箱体を横並び状に設け、かつ、
前記第２収納箱体に、棚板、背板及び奥行方向に厚さ方向を沿わせた中仕切板のうちの少なくとも一つを、両側の側板に固定して設けた構造とされていることを特徴とする収納構造。
【請求項２】
請求項１において、
前記第１収納箱体の奥行方向両側の開口を開閉する開き戸板を設けたことを特徴とする収納構造。
【請求項３】
請求項１または２において、
前記第１収納箱体及び前記第２収納箱体の高さ寸法を、１８００ｍｍ以上としたことを特徴とする収納構造。
【請求項４】
請求項１乃至３のいずれか１項において、
前記第１収納箱体の幅方向他方側に、天板、底板及び両側の側板を有し該第１収納箱体と同高さ寸法とされ、かつ、棚板、背板及び奥行方向に厚さ方向を沿わせた中仕切板のうちの少なくとも一つを、両側の側板に固定して設けた第３収納箱体を横並び状に設けたことを特徴とする収納構造。
【請求項５】
請求項１乃至４のいずれか１項において、
前記第２収納箱体は、天板、底板及び両側の側板をそれぞれに有し、かつ、棚板、背板及び奥行方向に厚さ方向を沿わせた中仕切板のうちの少なくとも一つを、両側の側板に固定してそれぞれに設けた複数の収納ユニットを上下に積み重ねて連結した構造とされていることを特徴とする収納構造。
【発明の詳細な説明】
【技術分野】
【０００１】
本発明は、複数の収納箱体を横並び状に設置した収納構造に関する。
【背景技術】
【０００２】
従来より、複数の収納箱体を横並び状に設置した収納構造が知られている。
例えば、下記特許文献１には、奥行方向に開口した枠状の基部材を有した横長直方体状の間仕切ユニットを、上下左右に連続して積層、併設し間仕切壁を構成した収納構造が開示されている。
【先行技術文献】
【特許文献】
【０００３】
【特許文献１】特開２００３−１２９５９４号公報
【発明の概要】
【発明が解決しようとする課題】
【０００４】
しかしながら、上記特許文献１に記載された収納構造では、上下に長尺な物品を収納し難くなることが考えられる。例えば、上記のような奥行方向に開口した枠状の基部材の上下寸法を大きくすることも考えられるが、この場合には、枠状の基部材が変形し易くなることが考えられ、更なる改善が望まれていた。
【０００５】
本発明は、上記実情に鑑みてなされたものであり、奥行方向両側に開口した枠状の収納箱体に、上下に長尺な物品の収納を可能としながらも、該収納箱体の変形を抑制し得る収納構造を提供することを目的としている。
【課題を解決するための手段】
【０００６】
上記目的を達成するために、本発明に係る収納構造は、天板、底板及び両側の側板を有し奥行方向に貫通して奥行方向両側に開口し、上下に長尺な収納スペースを設けた枠状の第１収納箱体の少なくとも幅方向一方側に、天板、底板及び両側の側板を有し該第１収納箱体と同高さ寸法とされた第２収納箱体を横並び状に設け、かつ、前記第２収納箱体に、棚板、背板及び奥行方向に厚さ方向を沿わせた中仕切板のうちの少なくとも一つを、両側の側板に固定して設けた構造とされていることを特徴とする。
【０００７】
本発明においては、前記第１収納箱体の奥行方向両側の開口を開閉する開き戸板を設けてもよい。
また、本発明においては、前記第１収納箱体及び前記第２収納箱体の高さ寸法を、１８００ｍｍ以上としてもよい。
また、本発明においては、前記第１収納箱体の幅方向他方側に、天板、底板及び両側の側板を有し該第１収納箱体と同高さ寸法とされ、かつ、棚板、背板及び奥行方向に厚さ方向を沿わせた中仕切板のうちの少なくとも一つを、両側の側板に固定して設けた第３収納箱体を横並び状に設けてもよい。
また、本発明においては、前記第２収納箱体は、天板、底板及び両側の側板をそれぞれに有し、かつ、棚板、背板及び奥行方向に厚さ方向を沿わせた中仕切板のうちの少なくとも一つを、両側の側板に固定してそれぞれに設けた複数の収納ユニットを上下に積み重ねて連結した構造とされていてもよい。
【発明の効果】
【０００８】
本発明に係る収納構造は、上述のような構成としたことで、奥行方向両側に開口した枠状の収納箱体に、上下に長尺な物品の収納を可能としながらも、該収納箱体の変形を抑制することができる。
【図面の簡単な説明】
【０００９】
【図１】本発明の一実施形態に係る収納構造の一例を模式的に示す一部破断概略平面図である。
【図２】（ａ）、（ｂ）は、いずれも図１におけるＸ１−Ｘ１線矢視に対応させた概略正面図であり、（ａ）は、開き戸板を閉鎖させた状態を示し、（ｂ）は、開き戸板を開放させた状態を示している。
【図３】（ａ）、（ｂ）は、いずれも図１におけるＸ２−Ｘ２線矢視に対応させた概略正面図であり、（ａ）は、開き戸板を閉鎖させた状態を示し、（ｂ）は、開き戸板を開放させた状態を示している。
【図４】（ａ）は、図１におけるＸ３−Ｘ３線矢視に対応させた概略正面図、（ｂ）は、図１におけるＸ４−Ｘ４線矢視に対応させた概略正面図である。
【図５】（ａ）は、図２（ａ）におけるＹ１−Ｙ１線矢視に対応させた一部を省略した一部破断概略横断面図、（ｂ）は、図２（ｂ）におけるＹ２−Ｙ２線矢視に対応させた一部を省略した一部破断概略横断面図である。
【図６】（ａ）は、図２（ａ）におけるＺ１−Ｚ１線矢視に対応させた一部を省略した概略縦断面図、（ｂ）は、図２（ａ）におけるＺ２−Ｚ２線矢視に対応させた一部を省略した概略縦断面図である。
【図７】同収納構造の一変形例を模式的に示す一部破断概略平面図である。
【発明を実施するための形態】
【００１０】
以下に本発明の実施の形態について、図面に基づいて説明する。
図１〜図７は、本実施形態に係る収納構造（間仕切収納構造）の一例を模式的に示す図である。
なお、一部の図では、他図に付している詳細な符号の一部を省略している。
また、以下の実施形態では、各収納箱体を設置した状態を基準として、上下方向等を原則的に説明する。
【００１１】
本実施形態に係る収納構造は、図１及び図２に示すように、上下に長尺な収納スペースを設けた第１収納箱体１０の少なくとも幅方向一方側に、この第１収納箱体１０と同高さ寸法とされた第２収納箱体３０を横並び状に設けた構造とされている。また、これら第１収納箱体１０と第２収納箱体３０とを屋内スペース１を仕切るように設置した構造としている。本実施形態では、これら収納箱体１０，３０を、屋内スペース１の玄関スペース２と後記する区画スペースとしての他のスペース（寝室（居室）スペース）８とを仕切るように設置した例を示している。また、本実施形態では、第１収納箱体１０の幅方向他方側に、この第１収納箱体１０と同高さ寸法とされた第３収納箱体４０を横並び状に設けた構造としている。つまり、本実施形態では、第１収納箱体１０の幅方向両側に、第２収納箱体３０及び第３収納箱体４０をそれぞれ横並び状に設けた収納構造を例示している。
【００１２】
また、本実施形態では、図１に示すように、屋内スペース１の一部に区画スペース８を形成するように、平面視して少なくともＬ字状となるように複数の収納箱体１０（，４０），３０，６０（，６０）を隣接させて設けた間仕切収納構造を例示している。
また、Ｌ字状の直線部位となる一辺部及び他辺部を構成する収納箱体１０（，４０），６０（，６０）を、区画スペース８の内側及び外側の両方または一方に開口する収納スペースを設けた構造としている。また、Ｌ字状の一辺部と他辺部とが交わるコーナー部位のコーナー収納箱体３０の一方の側板３４を、当該コーナー収納箱体３０に隣接された一辺部の収納箱体１０の側板１４に当接させた構造としている（図２参照）。また、このコーナー収納箱体３０の背板３５を、当該コーナー収納箱体３０に隣接された他辺部の収納箱体６０の側板３４，３４，６４，４４に当接させた構造としている（図４参照）。
【００１３】
上記のような構成とすれば、平面視して少なくともＬ字状となるように設けられた複数の収納箱体１０（，４０），３０，６０（，６０）のコーナー部位のコーナー収納箱体３０の使い勝手を向上させることができる。
つまり、これら収納箱体１０（，４０），３０，６０（，６０）を、区画スペース８を間仕切る壁体として利用でき、例えば、間仕切壁の両面に収納を設けたようなものと比べて、収納スペースを効果的に大きくすることができる。また、間仕切壁体として機能するこれら一辺部及び他辺部の収納箱体１０（，４０），６０（，６０）の収納スペースに、区画スペース８の内側及び外側の両方または一方側から物品を出し入れすることができる。また、コーナー収納箱体３０の開口が区画スペース８の外側に向けて開口、つまり、コーナー収納箱体３０が一辺部の収納箱体１０の奥行方向と同方向で区画スペース８の外側に向けて開口することとなる。これにより、このコーナー収納箱体３０に、区画スペース８の外側から物品をスムーズに出し入れすることができ、このコーナー収納箱体３０の使い勝手を向上させることができる。
【００１４】
また、本実施形態では、一辺部及び他辺部の収納箱体１０（，４０），６０（，６０）のそれぞれに、それぞれの辺部の延びる方向に面域方向を沿わせた背板、前板及び中仕切板のうちの少なくとも一つとしての板体１７，３５，３７，３７Ａ，４７，５５等を設けた構造としている。このような構成とすれば、これら一辺部及び他辺部の収納箱体１０（，４０），６０（，６０）のそれぞれに設けられた板体１７，３５，３７，３７Ａ，４７，５５等によって、区画スペース８の内側と外側とを遮断することができ、より効果的に間仕切ることができる。
【００１５】
本実施形態では、第１収納箱体１０及びこの第１収納箱体１０の幅方向他方側に隣接された第３収納箱体４０を、Ｌ字状の一辺部を構成する収納箱体とした例を示している。つまり、Ｌ字状の直線部位となる一辺部を構成する収納箱体を、複数の収納箱体１０，４０を横並び状に設けた構造としている。
また、第１収納箱体１０の幅方向一方側に隣接された第２収納箱体３０を、コーナー収納箱体とした例を示している。また、Ｌ字状の直線部位となる他辺部を構成する収納箱体を、複数の収納箱体（第４収納箱体）６０，６０を横並び状に設けた構造としている。これら第４収納箱体６０，６０は、互いに同様の構成とされ、上記した各収納箱体１０，３０，４０と同高さ寸法とされている（図４参照）。
【００１６】
また、本実施形態では、Ｌ字状の他辺部を構成する複数の第４収納箱体６０，６０の反コーナー部位側に、第５収納箱体３０Ａを更に設けた例を示している。また、この第５収納箱体３０ＡにおけるＬ字状の一辺部の延びる方向側の側方に、区画スペース８への出入口を隔てるようにして第６収納箱体７０を設けた例を示している。つまり、出入口及び第６収納箱体７０を、Ｌ字状の一辺部を構成する第１収納箱体１０及び第３収納箱体４０に対して対向状にかつ平行状に設けた例を示している。これら第５収納箱体３０Ａ及び第６収納箱体７０は、上記した各収納箱体１０，３０，４０，６０，６０と同高さ寸法とされている（図４参照）。
【００１７】
上記のような構成により、本実施形態では、出入口を含み平面視して略コ字状となるように複数の収納箱体１０，３０，４０，６０，６０，３０Ａ，７０を隣接させて設けた間仕切収納構造としている。
また、本実施形態では、これら複数の収納箱体１０，３０，４０，６０，６０，３０Ａ，７０を、屋内スペース１の一部に区画スペースとしての寝室スペース８を形成するように設けた間仕切収納構造を例示している。また、Ｌ字状の一辺部の先端部分となる第３収納箱体４０を、屋内スペース１を区画し、玄関スペース２の一方側に連なる一壁体に当接させて設置した例を示している。また、寝室スペース８の反玄関スペース２側を区画し、第３収納箱体４０に対して対向状に配置された第６収納箱体７０を、第３収納箱体４０が当接された一壁体に当接させて設置した例を示している。
【００１８】
つまり、本実施形態では、屋内スペース１を区画する一壁体と、出入口を含み平面視して略コ字状となるように設けられた複数の収納箱体１０，３０，４０，６０，６０，３０Ａ，７０と、によって寝室スペース８を区画した例を示している。なお、これら互いに隣り合う収納箱体１０，３０，４０，６０，６０，３０Ａ同士は、適宜のねじや釘等の止具や、連結具、接着剤等によって接合するようにしてもよい。
また、Ｌ字状の一辺部を構成する第１収納箱体１０及び第３収納箱体４０並びにＬ字状のコーナー部位を構成する第２収納箱体３０を、玄関スペース２と寝室スペース８とを間仕切るように設けた例を示している。また、玄関スペース２の他方側に廊下スペース３を隔てて洗面・トイレスペース４とバススペース５とを設けた例を示している。また、バススペース５との間に廊下スペース３を形成するように当該間仕切収納構造を設けた例を示している。また、廊下スペース３の奥側のリビングスペース６及びキッチンスペース７と寝室スペース８とを区画するように当該間仕切収納構造を設けた例を示している。
【００１９】
なお、図１及び図７において、符号９は、バルコニー（ベランダ）である。
また、図例では、鉄筋コンクリート造の集合住宅の一室となる屋内スペース１に、上記収納構造を含む間仕切収納構造を設けた例を示しているが、他の構造の集合住宅や戸建住宅等に設けるようにしてもよい。また、上記収納構造を含む間仕切収納構造を、住宅に限られず、種々の建物内の屋内スペースに設けるようにしてもよい。
また、図例では、玄関スペース２や廊下スペース３等と寝室スペース８とを間仕切る構造とした例を示しているが、他のスペースと他のスペースとを間仕切る構造としてもよい。また、区画スペース８としては、寝室スペース８に限られず、例えば、リビングやダイニング、キッチン、和室、収納、応接、執務（事務）等の種々のスペースとしてもよい。
また、屋内スペース１を区画する壁体は、屋内スペース１と屋外とを区画する壁体としてもよく、屋内スペース１と他の屋内スペースとを区画する壁体としてもよい。
【００２０】
次に、各収納箱体の具体的構成の一例について説明する。
第１収納箱体１０は、図２、図３及び図５に示すように、天板１２、底板１３及び両側の側板１４，１４を有し奥行方向に貫通して奥行方向両側に開口し、上下に長尺な収納スペースを設けた枠状の箱本体１１を備えている。このような構成とすれば、当該第１収納箱体１０を、屋内スペース１を仕切るように設置することで、奥行方向両側から箱本体１１に物品を出し入れすることができ、使い勝手を向上させることができる。特に、図例のように、玄関スペース２と他のスペース８とを仕切るように第１収納箱体１０を設けた構造とすることで、収納されたコート等の衣類を、玄関スペース２及び他のスペース８のいずれ側からも出し入れすることができ、利便である。また、例えば、玄関スペース２側において、履物と衣類等とを組み合わせる作業なども容易に行うことができ、利便である。
【００２１】
また、本実施形態では、図６に示すように、両側の側板１４，１４の互いに対向する各内側面に、箱本体１１内を上下に区画する棚板１８の両端部を支持するための棚支持部材２８，２８の受部１５，１５を上下方向に沿って間隔を空けて複数箇所に設けている。このような構成とすれば、棚板１８を設ける枚数や高さ位置等を変更することができ、使い勝手を向上させることができる。
図例では、受部１５，１５を、両側の側板１４，１４の各内側面において互いに向き合う方向に開口したダボ穴１５，１５とし、棚支持部材２８，２８を、ダボ穴１５，１５に挿入されるダボ２８，２８とした例を示している。
【００２２】
また、棚板１８の奥行方向両端部を支持可能なように、各側板１４，１４の奥行方向両端部に対状にダボ穴１５，１５，１５，１５を設けた例を示している。また、これら対状のダボ穴１５，１５を、各側板１４，１４の内側面に、上下方向に沿って等間隔を空けて複数箇所に設けている。また、これらダボ穴１５，１５を、各側板１４，１４の内側面に、上下方向の概ね全体に亘って等間隔を空けて複数箇所に設けた例を示している。
また、図例では、棚板１８を、箱本体１１の上端部近傍において、両側の側板１４，１４間に架け渡すように設けた例を示している。この棚板１８の幅方向両端部の奥行方向両側には、それぞれにダボ穴１５，１５，１５，１５に挿入されて支持されたダボ２８，２８，２８，２８が係合する係合凹所１８ａ，１８ａ，１８ａ，１８ａが設けられている。
【００２３】
また、第１収納箱体１０は、奥行方向両側の開口を開閉する開き戸板１７，１７を備えている。このような開き戸板１７，１７を設けることで、これらを閉鎖すれば、箱本体１１内を目立ち難くすることができる。これら奥行方向両側の開き戸板１７，１７は、閉鎖した状態で、上記一辺部の延びる方向に面域方向を沿わせた前板を構成する。また、閉鎖状態の開き戸板１７，１７の表面が当該第１収納箱体１０の奥行方向両面を構成する。
本実施形態では、第１収納箱体１０の奥行方向両側の開口部のそれぞれに、両開き状（観音開き状）に開き戸板１７，１７，１７，１７を設けた例を示している。
本実施形態では、これら開き戸板１７，１７，１７，１７を、箱本体１１の両側の側板１４，１４にスライド蝶番等の回動連結部材１６によって連結した例を示している。また、各開き戸板１７，１７，１７，１７の吊元側となる連結側端部を、上下方向に沿って間隔を空けて設けられた複数（図例では、４つ）の回動連結部材１６によって両側の側板１４，１４の奥行方向の各端部に連結した例を示している。
【００２４】
また、本実施形態では、これら開き戸板１７，１７，１７，１７を、閉鎖した状態で箱本体１１の奥行方向両面（天板１２、底板１３及び両側の側板１４，１４の奥行方向両端面）に沿うように納められるアウトセット納めとした例を示している（図５及び図６参照）。このような構成とすれば、図２（ａ）及び図３（ａ）に示すように、開き戸板１７，１７，１７，１７を閉鎖した状態では、箱本体１１の天板１２、底板１３及び両側の側板１４，１４が目立ち難くなり、すっきりとした印象を与えることができる。
【００２５】
また、本実施形態では、これら開き戸板１７，１７，１７，１７を、互いに同幅寸法としている。つまり、奥行方向両側の開口を、それぞれ両開き戸板１７，１７，１７，１７によって閉鎖した状態では、両開き状とされた開き戸板１７，１７，１７，１７の戸先側端部同士の突合せ部が第１収納箱体１０の幅方向中心に位置することとなる。これら開き戸板１７，１７，１７，１７の幅寸法は、それぞれ箱本体１１（第１収納箱体１０）の幅寸法の略１／２の寸法とされている。また、これら開き戸板１７，１７，１７，１７の高さ寸法（上下寸法）は、箱本体１１（第１収納箱体１０）の高さ寸法と略同寸法とされている。
また、図例では、箱本体１１を台輪２９上に設置した例を示している（図６も参照）。この台輪２９は、図２、図３及び図６に示すように、箱本体１１の奥行寸法及び幅寸法と同寸法とされている。
【００２６】
この第１収納箱体１０の高さ寸法は、収納対象や設置箇所、使い勝手等の観点や、所望する仕切度合い等に応じて適宜、設定するようにしてもよい。例えば、床面や比較的に低いソファ等に座位状態で、他のスペースからの目線を遮るような仕切度合いとする場合には、第１収納箱体１０の高さ寸法を、６００ｍｍ〜１２００ｍｍ程度としてもよい。また、例えば、椅子等に座位状態で、他のスペースからの目線を遮り、かつ立位状態では見渡せるような仕切度合いとする場合には、第１収納箱体１０の高さ寸法を、１２００ｍｍ〜１５００ｍｍ程度としてもよい。
【００２７】
本実施形態では、他のスペースからの目線を立位状態でも遮るような仕切度合いとしており、第１収納箱体１０の高さ寸法を、１８００ｍｍ以上としている。このような構成とすれば、当該第１収納箱体１０が平均的な成人の立位状態における目の高さよりも高くなり、当該第１収納箱体１０によって効果的に間仕切ることができる。つまりは、各収納箱体１０，３０，４０，６０，６０，３０Ａ、７０の高さ寸法を、１８００ｍｍ以上としている。このような構成とすれば、これら各収納箱体１０，３０，４０，６０，６０，３０Ａ、７０によってより効果的に間仕切ることができる。
この第１収納箱体１０の高さ寸法は、床面から天井面までの高さ寸法に応じた寸法（例えば、２４００ｍｍ〜２６００ｍｍ程度）としてもよく、搬送や組付性（施工性）等の観点から、１８００ｍｍ〜２２００ｍｍ程度としてもよい。なお、この第１収納箱体１０の高さ寸法は、台輪２９を含んだ高さ寸法としてもよい。
【００２８】
また、第１収納箱体１０の奥行寸法（箱本体１１の開口方向に沿う寸法）は、収納対象や設置箇所、使い勝手、安定性等の観点から適宜、設定するようにしてもよく、例えば、３００ｍｍ〜９００ｍｍ程度としてもよい。本実施形態では、この第１収納箱体１０の奥行寸法を、６００ｍｍとしている。
また、第１収納箱体１０の幅寸法（収納間口方向に沿う寸法（高さ方向及び奥行方向に直交する方向に沿う寸法））は、上記同様の観点から適宜、設定するようにしてもよく、本実施形態では、幅寸法を奥行寸法よりも大きい寸法としている。この第１収納箱体１０の幅寸法は、６００ｍｍ〜１２００ｍｍ程度としてもよく、本実施形態では、９００ｍｍとしている。
【００２９】
また、第１収納箱体１０は、収納間口方向一方側に棚部２３，２４を形成するように箱本体１１内に設けられる棚ユニット２０を備えている。この棚ユニット２０には、奥行方向両側の両開き戸板１７，１７，１７，１７の戸先側端部をそれぞれに受け止める受止部２５，２５，２５，２５が当該第１収納箱体１０の上下方向中程に位置するように設けられている。このような構成とすることで、奥行方向両側の開口部をそれぞれに開閉する両開き状の開き戸板１７，１７，１７，１７の戸先側端部を安定的に受け止め可能でありながらも、上下に長尺な物品を収納することができる。
【００３０】
つまり、棚ユニット２０に設けられた受止部２５，２５，２５，２５によって奥行方向両側の開口部をそれぞれに開閉する両開き状の開き戸板１７，１７，１７，１７の戸先側端部を安定的に受け止めることができる。つまりは、上下方向に長尺な開き戸板１７，１７，１７，１７の上下方向中程の部位を受止部２５，２５，２５，２５によって受け止めることができ、開き戸板１７，１７，１７，１７の撓み等に起因する受止不良等の発生を抑制することができる。
また、棚ユニット２０によって形成される棚部２３，２４によって収納間口方向一方側を上下に区画することができる。また、収納間口方向他方側に、比較的に上下に大きい収納スペースを確保することができ、このスペースに上下に長尺な物品を収納することができる。また、このスペースを、通り抜ける非常通路等として利用するようなこともできる。
【００３１】
また、本実施形態では、棚ユニット２０を、奥行方向両側のそれぞれに収納間口方向中心から等間隔を空けた位置に受止部２５，２５，２５，２５をそれぞれ設けた構成とし、かつ収納間口方向一方側半部及び他方側半部のいずれ側にも反転状に設置可能としている。つまり、棚ユニット２０を上下方向に沿う軸廻りに１８０度回転させ、奥行方向に反転させた状態で、奥行方向両側の受止部２５，２５，２５，２５が同じ位置となるような構成とされている（図２及び図３参照）。また、いずれ側に設置された場合においても、互いに同幅寸法とされた各開き戸板１７，１７，１７，１７を閉鎖した状態で、それぞれの戸先側端部を受止部２５，２５，２５，２５によって受止可能な構成とされている。
このような構成とすれば、使い勝手や趣向等に応じて、棚ユニット２０を、収納間口方向一方側半部または他方側半部に設置することができ、汎用性を向上させることができる。また、この棚ユニット２０によって形成される棚部２３，２４によって収納間口方向いずれかの半部を上下に区画することができ、残余の半部を、上下に大きい収納スペースとして利用することができる。
【００３２】
また、本実施形態では、棚ユニット２０を、底板１３から当該第１収納箱体１０の上下方向中程に至る上下寸法とされ箱本体１１内を収納間口方向に仕切るように立設される縦仕切板部２１を備えた構成としている。また、棚ユニット２０を、この縦仕切板部２１の上端部と一方の側板１４との間に架け渡されるように設けられ棚部を構成する上棚板部２３を備えた構成としている。つまり、棚ユニット２０を、奥行方向に見てＬ字状とされたものとしている。このような構成とすれば、棚ユニット２０の上棚板部２３上に物品を載置したり、棚ユニット２０の上方側空間を収納スペースとして利用することができる。また、上棚板部２３の両側を保持する縦仕切板部を設けた場合と比べて、棚ユニット２０の構造の簡略化を図ることができ、棚ユニット２０の内方空間（収納間口方向に沿う寸法）を大きくすることができる。
【００３３】
また、上棚板部２３と縦仕切板部２１との角部付近の奥行方向両側に、受止部２５，２５，２５，２５を設けることができ、両開き戸板１７，１７，１７，１７の受止部２５，２５，２５，２５を効率的に設けることができる。図例では、互いに別体とされた縦仕切板部２１と上棚板部２３とを、縦勝ち状に接合し、縦仕切板部２１の上端部の奥行方向両側及び上棚板部２３の縦仕切板部側端部の奥行方向両側に受止部２５，２５，２５，２５を設けた例を示している。
これら縦仕切板部２１と上棚板部２３とは、適宜のねじや釘等の止具や、連結具、接着剤等によって接合するようにしてもよい。また、これら縦仕切板部２１と上棚板部２３とを、別体とされたものとせずに、一体的に形成されたものとしてもよい。
【００３４】
また、この棚ユニット２０の高さ寸法（縦仕切板部２１の上下寸法（底板１３から上棚板部２３の上面までの高さ寸法））は、受止部２５，２５，２５，２５が第１収納箱体１０の上下方向中程に位置するように適宜、設定するようにしてもよい。例えば、本実施形態のように、第１収納箱体１０の高さ寸法を、１８００ｍｍ以上とした場合には、棚ユニット２０の高さ寸法を、この第１収納箱体１０の１／３〜２／３程度の高さ寸法としてもよい。
また、この棚ユニット２０の奥行寸法（縦仕切板部２１及び上棚板部２３の奥行寸法）は、箱本体１１の奥行寸法と同寸法とされている。
また、図５に示すように、縦仕切板部２１の一方の側板１４側に向く面が、当該第１収納箱体１０の概ね幅方向中心に位置する構成とされている。図例では、縦仕切板部２１の一方の側板１４側に向く面が、当該第１収納箱体１０の幅方向中心よりも僅かに他方の側板１４側に寄った位置となるように構成した例を示している。
【００３５】
また、本実施形態では、棚ユニット２０の上棚板部２３の一方の側板１４側の端部が、一方の側板１４のダボ穴（受部）１５に保持されたダボ（棚支持部材）２８によって支持される構造としている。このような構成とすれば、棚ユニット２０の上棚板部２３の端部を、一方の側板１４の内側面に設けられたダボ穴１５に保持されたダボ２８を介して支持させることができる。これにより、例えば、一方の側板１４の内側面に、上棚板部２３の端部を支持する専用の支持部材や固定部材等を設けたような場合と比べて、部品点数を削減することができる。また、上棚板部２３の一方の側板１４側の端部の奥行方向両側には、図５及び図６に示すように、ダボ２８，２８が係合する係合凹所２３ａ，２３ａが設けられている。この棚ユニット２０は、箱本体１１に対して着脱可能な構成とされたものとしてもよい。
なお、上記のような態様に代えて、一方の側板１４の内側面に、上棚板部２３の一方の側板１４側の端部を支持する専用の支持部材や固定部材等を設けた態様としてもよい。また、縦仕切板部２１の下端は、箱本体１１の底板１３に対して適宜のねじや釘等の止具や、連結具、接着剤等によって接合するようにしてもよい。または、縦仕切板部２１の下端及び箱本体１１の底板１３のそれぞれに互いに係合する係合部（例えば、ダボ及びダボ穴）等を設け、縦仕切板部２１を箱本体１１の底板１３に対して容易に着脱可能とした構成としてもよい。この場合は、収納間口方向一方側半部及び他方側半部のいずれ側にも設置可能なように、底板１３側には二箇所に係合部を設けるようにしてもよい。
【００３６】
また、本実施形態では、縦仕切板部２１の一方の側板１４側に向く面に、この縦仕切板部２１と一方の側板１４との間に架け渡される中棚板２４の縦仕切板部２１側の端部を支持するための棚支持部材２８の受部２２を上下方向に沿って間隔を空けて設けている。この受部２２は、上記同様、棚支持部材としてのダボ２８が挿入されるダボ穴２２とされ、一方の側板１４に設けられたダボ穴１５と同高さ位置となるように設けられている。つまり、図５及び図６に示すように、一方の側板１４の内側面に設けられたダボ穴１５と縦仕切板部２１の一方の側板１４側に向く面に設けられたダボ穴２２とは、互いに向き合う方向に開口するように設けられている。
このような構成とすれば、一方の側板１４及び縦仕切板部２１に設けられたダボ穴１５，１５，２２，２２にダボ２８，２８，２８，２８を保持させ、これら両側のダボ２８，２８，２８，２８に中棚板２４を支持させることができる。この中棚板２４の幅方向両端部の奥行方向両側には、上記同様の係合凹所２４ａ，２４ａ，２４ａ，２４ａが設けられている。
【００３７】
また、本実施形態では、受止部２５，２５，２５，２５を、閉鎖状態から押し込まれた開き戸板１７，１７，１７，１７を、その押し込みが解除されれば開放側へ押し出すプッシュラッチ（押出機構）２５，２５，２５，２５としている。また、奥行方向両側の両開き戸板１７，１７，１７，１７の表面（閉鎖状態における反箱本体側に向く面）を、手掛けのない平坦面としている。このような構成とすれば、奥行方向両側の両開き戸板１７，１７，１７，１７の開放性を向上させることができる。また、開き戸板１７，１７，１７，１７に手掛けを設ける必要がなく、奥行方向両側の両開き戸板１７，１７，１７，１７の表面を、手掛けのない平坦面とでき、両開き戸板１７，１７，１７，１７を閉鎖させれば、壁状の外観となり、すっきりとした印象を与えることができる。また、閉鎖状態の両開き戸板１７，１７，１７，１７の表面に突出物が形成されないため、引っ掛かり等を防止することができる。
また、これらプッシュラッチ２５，２５，２５，２５が上下に長尺とされた第１収納箱体１０の上下方向中程に位置されるため、開き戸板１７の撓み等による動作不良等を抑制することができる。
【００３８】
これらプッシュラッチ２５，２５，２５，２５は、互いに同様の構成とされている。本実施形態では、これらプッシュラッチ２５，２５，２５，２５を、棚ユニット２０の縦仕切板部２１と上棚板部２３との角部付近の奥行方向両側に埋め込み状に設けた例を示している。このプッシュラッチ２５としては、公知のいわゆるプッシュオープン機構（飛出機構）の採用が可能である。
例えば、プッシュラッチ２５としては、ラッチ本体２６と、このラッチ本体２６に対して奥行方向に出没自在（進退自在）とされ、開き戸板１７の裏面に当接されるロッド状またはアーム状の押出部２７と、を備えたものとしてもよい。また、ラッチ本体２６内には、押出部２７を開き戸板１７の開放側へ付勢する圧縮コイルばね等のばねが設けられている。
【００３９】
また、ラッチ本体２６内には、ばねの付勢に抗して押出部２７を没入位置（ロック位置）で規制（ロック）し、該ロック位置から奥方に押し込まれてロック解除位置とされた押出部２７の押し込みが解除されれば、ロックを解除するラッチ等のロック手段が設けられている。このロック手段は、ロックとその解除とを、押出部２７が奥方に押し込まれる毎に交互に繰り返す構成とされたものとしてもよい。また、押出部２７は、図５（ｂ）に示すように、そのロックが解除されれば、ばねの付勢によって開き戸板１７の開放側へ押し出されて突出位置（前進位置）とされる。
このプッシュラッチ２５は、図５（ａ）に示すように、開き戸板１７が閉鎖状態で、押出部２７が上記ロック位置とされ、その先端が開き戸板１７の裏面に当接される。また、閉鎖状態とされた開き戸板１７の戸先側端部が奥方に押し込まれれば、ロック位置とされた押出部２７がロック解除位置に押し込まれる。この状態で、開き戸板１７の押し込みを解除すれば、ロックが解除されて押出部２７が前方に押し出され、これにより、開き戸板１７を開放側に押し出す構成とされている。
【００４０】
なお、本実施形態では、このように受止部をプッシュラッチ２５とし、開き戸板１７，１７，１７，１７をアウトセット納めとしている。そのため、閉鎖状態の各開き戸板１７，１７，１７，１７の裏面（奥行方向内側に向く面）と箱本体１１の奥行方向両面（奥行方向外側に向く面）との間に、押し込み代を確保するための隙間を設けている。このような隙間としては、プッシュラッチ２５の構成によって適宜、設定するようにしてもよく、例えば、１ｍｍ〜５ｍｍ程度としてもよい。
また、押出部２７の先端部等に磁石（マグネット）を有したプッシュラッチ２５としてもよい。この場合は、開き戸板１７の裏面の押出部２７が当接される部位に、適宜、鉄板や鋼板等からなるマグネット受座を設けるようにしてもよい。その他、開き戸板１７の閉鎖状態を規制する種々のキャッチ機構を設けるようにしてもよい。
【００４１】
また、本実施形態では、プッシュラッチ（受止部）２５を、棚ユニット２０に埋め込み状に設けた例を示しているが、このような態様に代えて、縦仕切板部２１や上棚板部２３に付設状に設けた態様としてもよい。
また、各開き戸板１７の戸先側端部を受け止める受止部としては、このようなプッシュラッチ２５に限られず、マグネットラッチ等の他のラッチ部としてもよく、さらには、ゴム等の弾性体等としてもよい。この場合は、適宜、必要に応じて、各開き戸板１７，１７，１７，１７に把手等の手掛けを設けるようにしてもよい。
【００４２】
また、本実施形態では、第１収納箱体１０は、両側の側板１４，１４間に架け渡されるように、棚ユニット２０の上方側に設けられた棒状吊下部材１９を備えた構成としている。このような構成とすれば、図２及び図３に示すように、棚ユニット２０の側方の上下に大きい収納スペースに、長尺なコート等を吊り下げて収納することができる。これによれば、上記のように、奥行方向一方側を玄関スペース２に開口させ、奥行方向他方側を居室スペース８等に開口させるように設置される玄関収納装置として好適なものとなる。
【００４３】
この棒状吊下部材１９は、第１収納箱体１０の幅方向に長手方向を沿わせて配設されている。この棒状吊下部材１９は、その長手方向両端部を両側の側板１４，１４に適宜の固定具によって固定して設けるようにしてもよい。または、この棒状吊下部材１９を、棚板１８の下面や天板１２の下面等に固定具を介して固定するようにしてもよい。
なお、上記のような態様に代えて、第１収納箱体１０の奥行方向に長手方向を沿わせた棒状吊下部材１９を設けるようにしてもよく、さらには、このような棒状吊下部材１９を設けないようにしてもよい。
【００４４】
また、上記した例では、両側の側板１４，１４及び縦仕切板部２１に受部としてダボ穴１５，１５，２２を設け、棚支持部材をダボ２８とした例を示しているが、このような態様に限られず、種々の受部１５，１５，２２及び棚支持部材２８の採用が可能である。
また、本実施形態では、棚ユニット２０を、縦仕切板部２１と上棚板部２３とによって奥行方向に見てＬ字状とされたものとした例を示しているが、このような態様に限られない。例えば、棚ユニット２０を、奥行方向に見て下向きに開口する略コ字状とされたものや、略ロ字状等とされたものとしてもよい。つまりは、上棚板部２３の両側に縦仕切板部を設けたような態様としてもよい。この場合は、両側の縦仕切板部の対向する内側面に、これらの間に架け渡される中棚板２４の両端部を支持するための棚支持部材の受部を上下方向に沿って間隔を空けて複数箇所に設けるようにしてもよい。
【００４５】
また、本実施形態では、棚ユニット２０の縦仕切板部２１と上棚板部２３との角部付近に受止部２５，２５，２５，２５を設けた例を示しているが、このような態様に限られない。例えば、縦仕切板部２１に受止部２５，２５，２５，２５を設けた態様としてもよく、さらには、中棚板２４に受止部２５，２５，２５，２５を設けた態様等としてもよい。また、棚ユニット２０に加えて、箱本体１１の天板１２や底板１３、棚板１８等に、上記同様の受止部を設けた態様としてもよい。
また、本実施形態では、開き戸板１７，１７，１７，１７を、互いに同幅寸法とし、棚ユニット２０を、収納間口方向一方側半部及び他方側半部のいずれ側にも反転状に設置可能とした例を示しているが、このような態様に限られない。例えば、奥行方向両側の幅方向一方側の開き戸板１７，１７の幅寸法よりも、奥行方向両側の幅方向他方側の開き戸板１７，１７の幅寸法を大きくした態様としてもよい。この場合は、棚ユニット２０を、これら開き戸板１７，１７，１７，１７の戸先側端部を受止可能な位置となるように受止部２５，２５，２５，２５を設けた構成とすればよい。
【００４６】
また、本実施形態では、棚ユニット２０の底板１３からの高さ寸法を、第１収納箱体１０の上下方向中程に至る寸法とした例を示しているが、このような態様に限られない。例えば、棚ユニット２０を、箱本体１１内の上下の全長に亘る寸法とされたものとしてもよい。この場合は、例えば、棚ユニット２０を、上下端部が箱本体１１の天板１２及び底板１３に固定された縦仕切板部と、この縦仕切板部と一方の側板１４との間に架け渡され、棚部を構成する中棚板と、を備えた構成としてもよい。
また、本実施形態では、開き戸板１７，１７，１７，１７を、アウトセット納めとした例を示しているが、閉鎖状態で箱本体１１内に納められるインセット納めとしてもよい。この場合は、棚ユニット２０や受止部２５，２５，２５，２５、回動連結部材１６，１６，１６，１６等を必要に応じて、適宜、変形するようにしてもよい。
【００４７】
この第１収納箱体１０の幅方向一方側に横並び状に設けられた第２収納箱体３０は、図２及び図４（ａ）に示すように、天板３２、底板３３及び両側の側板３４，３４を有している。また、この第２収納箱体３０に、棚板、背板及び奥行方向に厚さ方向を沿わせた中仕切板のうちの少なくとも一つとしての背板３５を、両側の側板３４，３４に固定して設けた構造としている。このような第２収納箱体３０を、第１収納箱体１０に横並び状に設けた収納構造とすることで、奥行方向両側に開口した枠状の第１収納箱体１０に、上下に長尺な物品の収納を可能としながらも、第１収納箱体１０の変形を抑制することができる。
【００４８】
つまり、第２収納箱体３０によって上下に長尺な収納スペースを設けた枠状の第１収納箱体１０の変形を抑制することができる。つまりは、第２収納箱体３０に、棚板、背板及び中仕切板のうちの少なくとも一つとしての背板３５を両側の側板３４，３４に固定して設けた構造としているので、第２収納箱体３０自体の側板３４，３４の収納間口方向への変形が抑制される。この第２収納箱体３０を、上下に長尺で枠状とされているために斜め状となったり、撓んだりし易くなる第１収納箱体１０の少なくとも幅方向一方側に横並び状に設けることで、第１収納箱体１０を補強することができ、第１収納箱体１０の変形を抑制することができる。
【００４９】
また、本実施形態のように、第１収納箱体１０の奥行方向両側に開き戸板１７，１７，１７，１７を設けた場合には、これらの荷重や開閉動作等によって、第１収納箱体１０がより変形し易くなることも考えられる。このような開き戸板１７，１７，１７，１７を設けた場合にも、第２収納箱体３０によって第１収納箱体１０の変形を抑制することができる。また、第１収納箱体１０の箱本体１１を設置した後に、開き戸板１７，１７，１７，１７を組み付けるような場合には、第１収納箱体１０（箱本体１１）の変形に起因して開き戸板１７，１７，１７，１７の組み付け性や開閉安定性が阻害されるようなことも考えられるが、このようなことを抑制することができる。
【００５０】
また、上記のように、開き戸板１７，１７，１７，１７の吊元側端部と両側の側板１４，１４とを、上下方向に間隔を空けて設けた複数の回動連結部材１６，１６，１６によって連結した構造とした場合には、箱本体１１の変形に起因して開き戸板１７，１７，１７，１７の組み付け性や開閉安定性の低下が顕著となることが考えられる。本実施形態によれば、第１収納箱体１０の開き戸板１７，１７，１７，１７の組み付け性や開閉安定性を向上させることができる。
また、上記のように各収納箱体１０，３０の高さ寸法を比較的に大きくした場合にも、枠状の第１収納箱体１０の変形を抑制することができる。
【００５１】
また、本実施形態では、この第２収納箱体３０を、図１に示すように、第１収納箱体１０の開口方向に沿う方向で、かつ玄関スペース２側に向けて開口するように設けた構造としている。このような構成とすれば、この第２収納箱体３０の収納スペースに、玄関スペース２側から物品を出し入れすることができ、この第２収納箱体３０を、玄関収納装置として利用することができる。
また、本実施形態では、この第２収納箱体３０を、幅寸法が奥行寸法よりも大きい寸法としている。このような構成とすれば、コーナー収納箱体を構成する第２収納箱体３０の開口幅寸法が比較的に大きくなり、物品の出し入れ性をより向上させることができ、使い勝手をより向上させることができる。
【００５２】
また、本実施形態では、この第２収納箱体３０の奥行寸法を、図１に示すように、Ｌ字状の一辺部を構成する第１収納箱体１０（及び第３収納箱体４０）の奥行寸法と同寸法としている。このような構成とすれば、一辺部の収納箱体１０（４０）及び第２収納箱体３０の奥行方向外側面（区画スペース８の外側に向く面）同士が略同一平面状となり、すっきりとした印象を与えることができる。
また、本実施形態では、この第２収納箱体３０の幅寸法を、Ｌ字状の他辺部を構成する第４収納箱体６０（，６０）の奥行寸法と同寸法としている。このような構成とすれば、第２収納箱体３０の他方の側板３４の外側面と他辺部の収納箱体６０（，６０）の奥行方向外側面（区画スペース８の外側に向く面）とが略同一平面状となり、すっきりとした印象を与えることができる。また、この第２収納箱体３０の幅寸法を、第１収納箱体１０の幅寸法と同寸法としている。
【００５３】
また、本実施形態では、第２収納箱体３０を、複数の収納ユニット３１，３１Ａを上下に積み重ねて連結した構造としている。また、これら収納ユニット３１，３１Ａを、天板３２，３２、底板３３，３３及び両側の側板３４，３４，３４，３４をそれぞれに有した構造としている。また、これら収納ユニット３１，３１Ａを、棚板、背板及び奥行方向に厚さ方向を沿わせた中仕切板のうちの少なくとも一つとしての背板３５，３５を、両側の側板３４，３４，３４，３４に固定してそれぞれに設けた構造としている。このような構成とすれば、第１収納箱体１０の変形の抑制が可能でありながらも第２収納箱体３０を構成する複数の収納ユニット３１，３１Ａを利用して種々の物品を収納することができる。
【００５４】
本実施形態では、第２収納箱体３０を、２つの収納ユニット３１，３１Ａを上下に積み重ねて連結した構造としている。また、これら収納ユニット３１，３１Ａを、奥行寸法及び幅寸法が互いに同寸法とされたものとしている。また、これら収納ユニット３１，３１Ａを、高さ寸法が互いに同寸法とされたものとしている。つまり、各収納ユニット３１，３１Ａの高さ寸法を、第１収納箱体１０の箱本体１１の高さ寸法の１／２とした例を示している。
また、これら収納ユニット３１，３１Ａからなる第２収納箱体３０を、台輪３９上に設置した例を示している（図２及び図４（ａ）参照）。この台輪３９は、図２及び図４（ａ）に示すように、各収納ユニット３１，３１Ａの箱本体の奥行寸法及び幅寸法と同寸法とされている。
【００５５】
これら収納ユニット３１，３１Ａは、概ね同様の構成とされており、図例では、背板３５，３５を、各収納ユニット３１，３１Ａの奥行方向反開口側面となる背面の全面に亘って設けた例を示している。つまり、背板３５，３５の四周端部の表面に、天板３２，３２、底板３３，３３及び両側の側板３４，３４，３４，３４の奥側端面を当接させて接合した例を示している。つまりは、背板３５，３５を、アウトセット状に設けた例を示している。これら収納ユニット３１，３１Ａの背板３５，３５の裏面が第２収納箱体３０の奥行方向一方面を構成する。
このような態様とすれば、これら収納ユニット３１，３１Ａの背板３５，３５が露出するように設置した場合にも、天板３２，３２、底板３３，３３及び両側の側板３４，３４，３４，３４の奥側端面が露出せず、背板３５，３５の裏面側を化粧面とすることで、見栄えを向上させることができる（図２（ａ）参照）。なお、このような態様に代えて、背板３５，３５を、天板３２，３２、底板３３，３３及び両側の側板３４，３４，３４，３４によって囲むように設けた態様としてもよい。
【００５６】
また、これら収納ユニット３１，３１Ａの開口部には、上記同様の両開き状の開き戸板３７，３７，３７，３７がそれぞれに設けられている。これら開き戸板３７，３７，３７，３７は、上記同様、回動連結部材３６，３６，３６，３６によって両側の側板３４，３４，３４，３４に連結固定されている。また、各収納ユニット３１，３１Ａには、これら開き戸板３７，３７，３７，３７の戸先側端部をそれぞれに受け止める上記同様の受止部２５，２５，２５，２５が設けられている。図例では、各収納ユニット３１，３１Ａの天板３２，３２に、上記同様の受止部２５，２５，２５，２５を埋め込み状に設けた構成としている。
これら収納ユニット３１，３１Ａの閉鎖状態の開き戸板３７，３７，３７，３７の表面が第２収納箱体３０の奥行方向他方面を構成する。
本実施形態では、図５（ａ）に示すように、この第２収納箱体３０の奥行方向両面と、第１収納箱体１０の奥行方向両面と、が略同一平面状となるように、これら第１収納箱体１０と第２収納箱体３０とを横並び状に設けた構造としている。
【００５７】
また、これら収納ユニット３１，３１Ａのうちの上段側の収納ユニット３１は、収納スペース内に棚板を設けていない戸有棚無収納ユニット３１とされている。一方、下段側の収納ユニット３１Ａは、収納スペース内を上下に区画する棚板３８を設けた戸有棚有収納ユニット３１Ａとされている。図例では、この戸有棚有収納ユニット３１Ａに、複数（図例では、４枚）の棚板３８を設けた例を示している。これら棚板３８は、上記同様、両側の側板３４，３４に上下方向に沿って間隔を空けて設けられた複数の受部に保持された棚支持部材によって着脱自在に支持される態様としてもよく、または、幅方向両端部が両側の側板３４，３４に固定された固定棚板としてもよい。
【００５８】
これら収納ユニット３１，３１Ａの天板３２と底板３３とを適宜のねじや釘等の止具や、連結具、接着剤等によって接合するようにしてもよい。
なお、第２収納箱体３０を構成する収納ユニット３１，３１Ａとしては、上記のような態様に限られない。例えば、両方に棚板３８を設けた態様としてもよく、両方に棚板３８を設けない態様としてもよい。また、開き戸板３７，３７，３７，３７に代えて、引戸や折戸等を前板として設けた態様としてもよく、または、抽斗を設けてその前板によって開口が開閉されるものとしてもよく、さらには、開口を開閉する前板を設けない態様としてもよい。
また、第２収納箱体３０を、３つ以上の収納ユニット３１，３１Ａを上下に積み重ねて連結した構造としてもよく、または、単一の収納箱体としてもよい。
また、第２収納箱体３０の収納スペースを、玄関スペース２側に向けて開口させた例を示しているが、廊下スペース３側に向けて開口させた態様としてもよい。つまりは、第２収納箱体３０を、奥行寸法が幅寸法よりも大きい寸法とされたものとしてもよい。この場合は、上記一辺部を他辺部として把握し、上記他辺部を一辺部として把握するようにしてもよい。
【００５９】
第１収納箱体１０の幅方向他方側に横並び状に設けられた第３収納箱体４０は、図２及び図３に示すように、天板３２，５２、底板３３，５３及び両側の側板３４，３４，５４，５４を有している。また、この第３収納箱体４０に、棚板、背板及び奥行方向に厚さ方向を沿わせた中仕切板のうちの少なくとも一つとしての背板３５，５５を、両側の側板３４，３４，５４，５４に固定して設けた構造としている。このような第３収納箱体４０を、第１収納箱体１０に横並び状に設けた収納構造とすることで、第１収納箱体１０の変形をより効果的に抑制することができる。つまり、本実施形態では、枠状とされた第１収納箱体１０の幅方向両側に、この第１収納箱体１０を補強する第２収納箱体３０及び第３収納箱体４０を設けた構造としている。このような構成とすれば、上記のように、第１収納箱体１０の奥行方向両側の両開き状の両開き戸板１７，１７，１７，１７と両側の側板１４，１４とを、上下方向に間隔を空けて設けた複数の回動連結部材１６，１６，１６，１６によって連結した構造とした場合にも、これら開き戸板１７，１７，１７，１７の組み付け性や開閉安定性を向上させることができる。
【００６０】
また、この第３収納箱体４０は、奥行寸法及び幅寸法が第１収納箱体１０の奥行寸法及び幅寸法と同寸法とされている。
また、本実施形態では、この第３収納箱体４０を、複数の収納ユニット３１Ｂ，４１，５１を組み合わせた構成としている。本実施形態では、上下に２段に分割されたものとし、下段側を単一の収納ユニット３１Ｂからなるものとし、上段側を、奥行方向に分割された２つの収納ユニット４１，５１からなるものとしている。このような構成とすれば、第３収納箱体４０の上段側を、奥行方向両側において利用することができ、この上段側に、区画スペース８の内側及び外側から物品を出し入れすることができる。
また、これら複数の収納ユニット３１Ｂ，４１，５１からなる第３収納箱体４０を、上記同様の台輪２９上に設置した例を示している。
【００６１】
下段側の収納ユニット３１Ｂの箱本体は、図２、図３及び図４（ｂ）に示すように、上記した第２収納箱体３０の各収納ユニット３１，３１Ａの箱本体と概ね同様の構成とされ、天板３２、底板３３、両側の側板３４，３４及び背板３５を有した構成とされている。また、この収納ユニット３１Ｂを、箱本体に対して奥行方向に出し入れ自在とされた抽斗３６Ａを設けた抽斗収納ユニット３１Ｂとしている。図例では、この抽斗収納ユニット３１Ｂに、上下に複数段（図例では４段）の抽斗３６Ａを設けた例を示している。また、これら抽斗３６Ａの前板３７Ａによって抽斗収納ユニット３１Ｂの箱本体の開口が閉鎖される構成としている。なお、図例では、前板３７Ａの表面から突出するような把手を設けた例を示しているが、掘込状の把手を設けた態様としたり、プッシュオープン機構を設けて把手を設けない態様としてもよい。
【００６２】
また、図例では、この抽斗収納ユニット３１Ｂを、その背板３５側を玄関スペース２に向けて設けた構造としている。このような構成とすれば、抽斗収納ユニット３１Ｂの抽斗３６Ａに、区画スペース８の内側から物品を出し入れすることができる。
この抽斗収納ユニット３１Ｂの背板３５及び抽斗３６Ａの前板３７Ａが、上記一辺部の延びる方向に面域方向を沿わせた背板及び前板を構成する。また、この抽斗収納ユニット３１Ｂの背板３５の裏面（玄関スペース２側に向く面）及び収納状態の抽斗３６Ａの前板３７Ａの表面が第３収納箱体４０の奥行方向両面を構成する。
なお、この抽斗収納ユニット３１Ｂに代えて、上記した戸有棚無収納ユニット３１または戸有棚有収納ユニット３１Ａを第３収納箱体４０の下段側収納ユニットとして設けるようにしてもよい。
【００６３】
上段側の収納ユニット４１，５１は、奥行寸法が互いに同寸法とされている。これら上段側の収納ユニット４１，５１の奥行寸法は、第１収納箱体１０（当該第３収納ユニット４０自体（抽斗収納ユニット３１Ｂ））の奥行寸法の１／２の寸法とされている。
また、これら上段側の収納ユニット４１，５１の高さ寸法及び幅寸法は、抽斗収納ユニット３１Ｂの高さ寸法及び幅寸法と同寸法とされている。
これら収納ユニット４１，５１のうちの奥行方向一方側（玄関スペース２側）の収納ユニット４１は、図２及び図４（ｂ）に示すように、天板４２、底板４３及び両側の側板４４，４４を有した構成とされている。
【００６４】
また、この収納ユニット４１の開口部には、上記同様の両開き状の開き戸板４７，４７がそれぞれに設けられている。これら開き戸板４７，４７は、上記一辺部の延びる方向に面域方向を沿わせた前板を構成する。また、この収納ユニット４１の閉鎖状態の開き戸板４７，４７の表面が第３収納箱体４０の奥行方向一方面を構成する。
また、これら開き戸板４７，４７は、上記同様、回動連結部材４６，４６によって両側の側板４４，４４に連結固定されている。また、この収納ユニット４１には、これら開き戸板４７，４７の戸先側端部をそれぞれに受け止める上記同様の受止部２５，２５が設けられている。図例では、収納ユニット４１の天板４２に、上記同様の受止部２５，２５を埋め込み状に設けた構成としている。
また、この収納ユニット４１は、収納スペース内を上下に区画する棚板４８を設けた戸有棚有薄型収納ユニット４１とされている。図例では、この戸有棚有薄型収納ユニット４１に、複数（図例では、４枚）の棚板４８を設けた例を示している。これら棚板４８は、上記同様、両側の側板４４，４４に上下方向に沿って間隔を空けて設けられた複数の受部に保持された棚支持部材によって着脱自在に支持される態様としてもよく、または、幅方向両端部が両側の側板４４，４４に固定された固定棚板としてもよい。
【００６５】
上段側の収納ユニット４１，５１のうちの奥行方向他方側（区画スペース８側）の収納ユニット５１は、図２及び図４（ｂ）に示すように、天板５２、底板５３、両側の側板５４，５４及び背板５５を有した構成とされている。この背板５５は、上記一辺部の延びる方向に面域方向を沿わせた背板を構成する。また、この背板５５は、図２（ｂ）に示すように、上記した戸有棚有薄型収納ユニット４１の背板としても機能する。このような構成とすれば、戸有棚有薄型収納ユニット４１の収納スペースを効果的に大きくすることができる。つまりは、背中合わせの収納ユニット４１，５１同士の背板を、単一の背板５５によって兼用させた構造としている。なお、このような態様に代えて、戸有棚有薄型収納ユニット４１にも背板を設けた構造としてもよい。
【００６６】
また、この奥行方向他方側の収納ユニット５１には、収納スペース内を上下に区画する上記同様の棚板５８が設けられている。図例では、この収納ユニット５１に、複数（図例では、３枚）の棚板５８を設けた例を示している。これら棚板５８は、上記同様、両側の側板５４，５４に上下方向に沿って間隔を空けて設けられた複数の受部に保持された棚支持部材によって着脱自在に支持される態様としてもよく、または、幅方向両端部が両側の側板５４，５４に固定された固定棚板としてもよい。
また、この収納ユニット５１は、図３に示すように、その開口部に開き戸板等の前板を備えていない戸無棚有薄型収納ユニット５１とされている。つまり、この戸無棚有薄型収納ユニット５１は、その開口部が常時開放された状態とされている。この戸無棚有薄型収納ユニット５１の天板５２、底板５３及び両側の側板５４，５４の表面側端面が第３収納箱体４０の奥行方向他方面を構成する。
本実施形態では、図５（ａ）に示すように、この第３収納箱体４０の奥行方向両面と、第１収納箱体１０の奥行方向両面と、が略同一平面状となるように、これら第１収納箱体１０と第３収納箱体４０とを横並び状に設けた構造としている。
【００６７】
なお、第３収納箱体４０の上段側の奥行方向他方側の収納ユニット５１に、上記同様の前板としての開き戸板や、引戸、折戸、抽斗の前板等を設けた態様としてもよい。
また、これら第３収納箱体４０を構成する収納ユニット３１Ｂ，４１，５１同士を、適宜のねじや釘等の止具や、連結具、接着剤等によって接合するようにしてもよい。
また、第３収納箱体４０を構成する収納ユニット３１Ｂ，４１，５１としては、上記のような態様に限られず、種々の変形が可能である。例えば、下段側も上段側と同様、奥行方向に分割された２つの収納ユニットからなるものとしてもよい。また、例えば、奥行方向にのみ分割された複数の収納ユニットを背中合わせに連結した構成としてもよく、または、上下方向のみに分割された複数の収納ユニットを上下に積み重ねて連結した構成としてもよい。さらには、奥行方向一方側を単一の収納ユニットからなるものとし、奥行方向他方側を、複数の収納ユニットを上下に積み重ねて連結した構成としてもよい。
【００６８】
また、例えば、上段側の奥行寸法を、下段側の奥行寸法よりも小さい寸法とし、上段側の収納ユニットを下段側の奥行方向一方側に寄った部位上に連結した態様としてもよい。このような構成とすれば、下段側の奥行方向他方側の上面を、物品の載置スペースや、作業スペース、手掛け等として利用することができる。さらには、第３収納箱体４０を、このような複数の収納ユニット３１Ｂ，４１，５１を組み合わせた態様に代えて、単一の収納箱体からなるものとしてもよい。
また、上記した例では、第２収納箱体３０及び第３収納箱体４０に、背板３５，５５を設けた例を示しているが、これに代えてまたは加えて、固定棚板や中仕切板を両側の側板に固定して設けた態様としてもよい。
【００６９】
第４収納箱体６０は、図４に示すように、その幅寸法が上記した各収納箱体１０，３０，４０の幅寸法と同寸法とされている。また、本実施形態では、この第４収納箱体６０を、奥行方向両側に分割された収納ユニット３１，３１，６１，４１Ａを背中合わせに組み合わせて奥行方向両側に開口させた構造としている。このような構成とすれば、コーナー収納箱体を構成する第２収納箱体３０の背板３５側に隣接された他辺部を構成する第４収納箱体６０に、区画スペース８の内側及び外側から物品を出し入れすることができる。
本実施形態では、この第４収納箱体６０を、上下及び奥行方向のそれぞれに２つに分割された４つの収納ユニット３１，３１，６１，４１Ａからなるものとしている。
また、これら複数の収納ユニット３１，３１，６１，４１Ａからなる第４収納箱体６０を、上記同様の台輪３９，４９上に設置した例を示している。
【００７０】
図例では、区画スペース８内側の上下の収納ユニット３１，３１を、図４に示すように、上記同様の戸有棚無収納ユニット３１，３１とした例を示している。これら戸有棚無収納ユニット３１，３１の背板３５，３５及び開き戸板３７，３７，３７，３７が、上記他辺部の延びる方向に面域方向を沿わせた背板及び前板を構成する。また、これら上下の戸有棚無収納ユニット３１，３１の閉鎖状態の開き戸板３７，３７，３７，３７の表面が第４収納箱体６０の奥行方向一方面を構成する。
なお、区画スペース８内側の上下の収納ユニット３１，３１の上下両方または一方を、上記した戸有棚有収納ユニット３１Ａや、抽斗収納ユニット３１Ｂ等の他の収納ユニットとしてもよい。
【００７１】
区画スペース８外側の上下の収納ユニット６１，４１Ａは、高さ寸法、幅寸法及び奥行寸法が互いに同寸法とされており、奥行寸法が戸有棚無収納ユニット３１，３１の奥行寸法の１／２の寸法とされている。
これら区画スペース８外側の上下の収納ユニット６１，４１Ａのうちの上段側の収納ユニット６１は、図４（ａ）に示すように、天板６２、底板６３及び両側の側板６４，６４を有した構成とされている。また、この収納ユニット６１には、背板が設けられておらず、上記した第３収納箱体４０の上段側と同様、戸有棚無収納ユニット３１の背板３５が収納ユニット６１の背板としても機能する構成とされている。なお、このような態様に代えて、この収納ユニット６１にも背板を設けた構造としてもよい。
【００７２】
また、この区画スペース８外側の上段側の収納ユニット６１には、収納スペース内を上下に区画する上記同様の棚板６８が設けられている。図例では、この収納ユニット６１に、複数（図例では、４枚）の棚板６８を設けた例を示している。これら棚板６８は、上記同様、両側の側板６４，６４に上下方向に沿って間隔を空けて設けられた複数の受部に保持された棚支持部材によって着脱自在に支持される態様としてもよく、または、幅方向両端部が両側の側板６４，６４に固定された固定棚板としてもよい。
また、この収納ユニット６１は、図４（ａ）に示すように、その開口部に開き戸板等の前板を備えていない戸無棚有薄型収納ユニット６１とされている。つまり、この戸無棚有薄型収納ユニット６１は、その開口部が常時開放された状態とされている。この戸無棚有薄型収納ユニット６１の天板６２、底板６３及び両側の側板６４，６４の表面側端面が第４収納箱体６０の奥行方向他方面を構成する。
なお、この収納ユニット６１に、上記同様の前板としての開き戸板や、引戸、折戸、抽斗の前板等を設けた態様としてもよい。
【００７３】
また、区画スペース８外側の上下の収納ユニット６１，４１Ａのうちの下段側の収納ユニット４１Ａは、棚板を備えていない点を除いては、上記した第３収納箱体４０の上段側の戸有棚有薄型収納ユニット４１と概ね同様の構成とされている。つまり、この収納ユニット４１Ａは、戸有棚無薄型収納ユニット４１Ａとされている。この戸有棚無薄型収納ユニット４１Ａの閉鎖状態の開き戸板４７，４７の表面が第４収納箱体６０の奥行方向他方面を構成する。
また、この戸有棚無薄型収納ユニット４１Ａには、上段側と同様、背板が設けられておらず、戸有棚無収納ユニット３１の背板３５が当該戸有棚無薄型収納ユニット４１Ａの背板としても機能する構成とされている。なお、このような態様に代えて、この戸有棚無薄型収納ユニット４１Ａにも背板を設けた構造としてもよい。
【００７４】
本実施形態では、この第４収納箱体６０の奥行方向両面と、第２収納箱体３０の幅方向両側面と、が略同一平面状となるように、これら第２収納箱体３０と第４収納箱体６０とを隣接させて設けた構造としている（図１参照）。
なお、この第４収納箱体６０を構成する収納ユニット３１，３１，６１，４１Ａ同士を、適宜のねじや釘等の止具や、連結具、接着剤等によって接合するようにしてもよい。
また、第４収納箱体６０を構成する収納ユニット３１，３１，６１，４１Ａとしては、上記のような態様に限られず、上記した第３収納箱体４０と概ね同様、種々の変形が可能である。さらには、第４収納箱体６０を、このような複数の収納ユニット３１，３１，６１，４１Ａを組み合わせた態様に代えて、単一の収納箱体からなるものとしてもよい。また、第４収納箱体６０を、上記した第１収納箱体１０と概ね同様、枠状の箱本体を備えた構成としてもよい。この場合は、この箱本体の奥行方向両側の開口を開閉する上記同様の開き戸板や、上記同様の棚ユニット等を設けるようにしてもよい。
【００７５】
第５収納箱体３０Ａは、図４に示すように、その背板３５，３５を、この背板３５，３５側に隣接し、上記他辺部を構成する第４収納箱体６０の側板６４，４４，３４，３４に当接させた構造とされている。また、この第５収納箱体３０Ａを、第２収納箱体３０の開口方向に沿う方向で、かつキッチンスペース７側に向けて開口するように設けた構造としている。つまり、この第５収納箱体３０Ａを、Ｌ字状の他辺部の延びる方向で、かつ第２収納箱体３０の開口方向逆側に開口させた構造としている。
また、この第５収納箱体３０Ａは、奥行寸法及び幅寸法が上記した第２収納箱体３０の奥行寸法及び幅寸法と同寸法とされている。つまり、この第５収納箱体３０Ａの幅寸法を、Ｌ字状の他辺部を構成する第４収納箱体６０の奥行寸法と同寸法としている。このような構成とすれば、上記同様、第５収納箱体３０Ａの区画スペース８の外側の側板３４の外側面と上記他辺部の収納箱体６０の奥行方向外側面（区画スペース８の外側に向く面）とが同一平面状となり、すっきりとした印象を与えることができる。本実施形態では、この第５収納箱体３０Ａの幅方向両側面と、第４収納箱体６０の奥行方向両面と、が略同一平面状となるように、これら第５収納箱体３０Ａと第４収納箱体６０とを隣接させて設けた構造としている（図１参照）。
【００７６】
また、第５収納箱体３０Ａは、上下に複数の収納ユニット３１，３１Ａを積み重ねた構成とされた第２収納箱体３０と概ね同様の構成とされており、第２収納箱体３０とは上下を逆にして積み重ねた構成とされている。つまり、第５収納箱体３０Ａは、上段側の戸有棚有収納ユニット３１Ａと下段側の戸有棚無収納ユニット３１とを有した構成とされている。
また、この第５収納箱体３０Ａの側板３４，３４，３４，３４は、上記他辺部の延びる方向に面域方向を沿わせた板体として機能し、上記同様、区画スペース８の内側と外側とを遮断することができ、より効果的に間仕切ることができる。
なお、この第５収納箱体３０Ａを、コーナー収納箱体として把握するようにしてもよい。
【００７７】
第６収納箱体７０は、図１に示すように、区画スペース８内側に開口する収納スペースを設けた箱本体７１と、この箱本体７１の背板側に設けられた戸袋部７２と、を備えている。図例では、この第６収納箱体７０の戸袋部７２を含む奥行寸法（箱本体７１の奥行方向に沿う寸法）及び幅寸法を、第１収納箱体１０の奥行寸法及び幅寸法と同寸法とした例を示している。また、図例では、この箱本体７１の開口を開閉する上記同様の両開き状の開き戸板を設けた例を示している。また、区画スペース８の上記出入口を開閉する引戸７３を、戸袋部７２に収容可能な構成としている。つまり、この第６収納箱体７０は、区画スペース８の出入口を開閉する建具を有した建具付収納箱体７０とされている。なお、区画スペース８の出入口を開閉する建具としては、戸袋部７２に納められるものに限られず、箱本体７１の背板に沿ってアウトセット状に納められる引戸としてもよく、さらには、引戸に限られず、開き戸や折戸等としてもよい。
【００７８】
また、図７の変形例に示すような態様としてもよい。図７は、間仕切収納構造の一変形例を模式的に示しており、上記した例とは、建具付収納箱体７０を設けていない点で異なる。なお、本変形例の他の構成については、上記した例と同様であるので同一符号を付し、その説明を省略する。
本変形例では、収納機能を有していない間仕切壁体７５を、上記した屋内スペース１を区画する一壁体に対して直交状（上記一辺部と平行状）に設けた例を示している。また、この間仕切壁体７５と第５収納箱体３０Ａとの間の出入口を開閉する建具としての開き戸７４を設けた例を示している。なお、図例では、開き戸７４を開閉自在に支持する吊元側の縦枠を、第５収納箱体３０Ａ側に設けた例を示しているが、間仕切壁体７５側に設けるようにしてもよい。また、本変形例に適用される建具としては、開き戸７４に限られず、引戸や折戸等としてもよい。
【００７９】
なお、上記した各収納箱体１０，３０，４０，６０，６０，３０Ａ，７０を構成する板体は、木質系材料等から形成されたものとしてもよい。また、各板体の露出する面は、適宜、化粧シートや突板の貼着、塗装等の表面化粧処理が施された化粧面としてもよい。
また、上記した各収納箱体１０，３０，４０，６０，６０，３０Ａ，７０において説明した互いに異なる構成を、適宜、組み替えたり、組み合わせたりして、適用するようにしてもよい。この場合は、各収納箱体１０，３０，４０，６０，６０，３０Ａ，７０を適宜、必要に応じて変形するようにしてもよい。
また、複数の収納ユニットを組み合わせて構成された収納箱体を構成する収納ユニットとしては、上記した態様に限られず、適宜、変形可能である。例えば、奥行寸法や高さ寸法、幅寸法等を異ならせたものとしたり、開き戸等の前板の有無や棚の有無、背板の有無等を変更したりしてもよい。この場合は、上記した第１収納箱体１０、第２収納箱体３０及び第３収納箱体４０のように、横並び状に隣り合う収納箱体の奥行方向両面同士が略同一平面状となるように複数の収納ユニットを構成するようにしてもよい。また、上記した第２収納箱体３０と第４収納箱体６０のように背側と幅方向一方側とを当接させて隣り合わせた場合に、背側を当接させた収納箱体の幅方向両側面と幅方向一方側を当接させた収納箱体の奥行方向両面とが略同一平面状となるように複数の収納ユニットを構成するようにしてもよい。
【００８０】
また、上記した図１に示す例では、出入口を含み平面視して略コ字状となるように複数の収納箱体１０，３０，４０，６０，６０，３０Ａ，７０を隣接させて設けた間仕切収納構造とした例を示しているが、このような態様に限られない。例えば、出入口を含み平面視して略ロ字状となるように複数の収納箱体を隣接させて設けた間仕切収納構造としてもよい。この場合は、適宜の箇所に出入口やこれを開閉する建具を設けるようにしてもよい。また、直線部位が交わるコーナー部位のコーナー収納箱体の一方の側板を、当該コーナー収納箱体の一方側に隣接された直線部位の収納箱体の側板に当接させ、このコーナー収納箱体の背板を、当該コーナー収納箱体の他方側に隣接された直線部位の収納箱体の側板に当接させた構造としてもよい。
また、上記した例では、一辺部及び他辺部を構成する収納箱体１０（，４０），６０（，６０）を、全体または一部が区画スペース８の内側及び外側の両方に開口する収納スペースを設けた構造とした例を示しているが、このような態様に限られない。これら収納箱体１０（，４０），６０（，６０）を、区画スペース８の内側または外側にのみ開口する収納スペースを設けた構造としてもよい。
【００８１】
また、上記した例では、屋内スペース１の一部に区画スペース８を形成するように、平面視して少なくともＬ字状となるように複数の収納箱体１０（，４０），３０，６０（，６０）を隣接させて設けた間仕切収納構造を例示しているが、このような態様に限られない。例えば、第１収納箱体１０の幅方向両側に、第２収納箱体３０及び第３収納箱体４０を横並び状に設けた収納構造としてもよい。
また、上記した第２収納箱体３０と第３収納箱体４０とを互いに同様の構成とされたものとしてもよい。
また、第１収納箱体１０の幅方向一方側のみに、第２収納箱体３０または第３収納箱体４０を横並び状に設けた構造としてもよい。この場合は、第１収納箱体１０の幅方向他方側を、建物の壁面等に当接させた構造としてもよい。
【００８２】
また、上記した例では、受止部２５，２５，２５，２５が設けられた棚ユニット２０を第１収納箱体１０に設けた例を示しているが、このような棚ユニット２０を設けないようにしてもよい。この場合は、第１収納箱体１０の箱本体１１の天板１２や底板１３等に上記同様の受止部を設けるようにしてもよい。
また、上記した例では、第１収納箱体１０の奥行方向両側のそれぞれに、両開き状の開き戸板１７，１７，１７，１７を設けた例を示しているが、このような態様に限られない。例えば、奥行方向一方側を、片開き状の開き戸板によって開閉する態様としてもよく、さらには、開き戸板に代えて、引戸や折戸等を設けた態様としてもよく、さらには、このような前板を、奥行方向両側または一方側に設けない態様としてもよい。
【符号の説明】
【００８３】
１０    第１収納箱体
１２    天板
１３    底板
１４    側板
１７    開き戸板
３０    第２収納箱体
３１    戸有棚無収納ユニット
３１Ａ  戸有棚有収納ユニット
３１Ｂ  抽斗収納ユニット（第３収納箱体）
３２    天板
３３    底板
３４    側板
３５    背板
４０    第３収納箱体
５１    戸無棚有薄型収納ユニット
５２    天板
５３    底板
５４    側板
５５    背板
【図１】
2015029671.tif 000003
【図２】
2015029671.tif 000004
【図３】
2015029671.tif 000005
【図４】
2015029671.tif 000006
【図５】
2015029671.tif 000007
【図６】
2015029671.tif 000008
【図７】
2015029671.tif 000009